【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
電子写真画像形成装置に用いられるドラムシリンダユニットにおいて、
感光ドラムと、
フランジ部材と、
を有し、
前記フランジ部材は、
前記感光ドラムの端部に固定された固定部と、
その内部に空洞部を形成する筒部と、
前記筒部の底を形成する底面と、
前記筒部の縁に設けられた溝部と、
ギア部と、
を備え、
前記溝部および前記空洞部の前記底面の反対側の部分は、前記感光ドラムの軸方向における外側に開放され、
前記溝部は、第１の部分と前記感光ドラムの軸線方向に関して前記第１の部分よりも外側に配置された第２の部分とを備え、前記第１の部分の幅が第１の幅Ｚ１、前記第２の部分の幅が第２の幅Ｚ２（但しＺ１＞Ｚ２）であり、前記フランジ部材が弾性変形することにより、前記第２部分の幅を第３の幅Ｚ３（但しＺ３＞Ｚ２）へと拡張可能であることを特徴とするドラムシリンダユニット。
【請求項２】
前記溝部は、前記第２の部分を有する狭窄部を備えることを特徴とする請求項１に記載のドラムシリンダユニット。
【請求項３】
前記ドラムシリンダユニットは、
前記フランジ部材に前記軸方向における内側から取り付けられたフタ部材を有し、
前記フタ部材に設けられた突起部によって前記狭窄部が形成されることを特徴とする請求項２に記載のドラムシリンダユニット。
【請求項４】
前記溝部は、前記軸方向に沿って延びる第一部と、前記筒部の周方向に沿って延びる第二部とを備えることを特徴とする請求項１乃至３のいずれか１項に記載のドラムシリンダユニット。
【請求項５】
前記溝部は、
前記軸方向における外側に向けて開放された開口部と、
前記開口部の側に形成された熱変形可能な突出部を備えることを特徴とする請求項１乃至４のいずれか１項に記載のドラムシリンダユニット。
【請求項６】
前記フランジ部材は、前記感光ドラムの径方向において前記筒部の外側に設けられる第二筒部と、前記筒部と前記第二筒部との間に設けられる第二溝部と、をさらに備え、
前記筒部と前記第二筒部と前記第二溝部は前記感光ドラムの軸方向でオーバーラップすることを特徴とする請求項１乃至５のいずれか１項に記載のドラムシリンダユニット。
【請求項７】
前記第二筒部は、歯車部を有することを特徴とする請求項６に記載のドラムシリンダユニット。
【請求項８】
前記溝部は少なくとも２つ設けられることを特徴とする請求項１乃至７のいずれか１項に記載のドラムシリンダユニット。
【請求項９】
２つの前記溝部は、前記感光ドラムの軸線に対して対称な位置に配置される請求項８に記載のドラムシリンダユニット。
【請求項１０】
電子写真画像形成装置に用いられるドラムシリンダユニットにおいて、
感光ドラムと、
フランジ部材と、
を有し、
前記フランジ部材は、
前記感光ドラムの端部に固定された固定部と、
その内部に空洞部を備える筒部と、
前記筒部の縁を貫通して前記空洞部と連通する貫通穴部と、
を備え、
前記空洞部は前記感光ドラムの軸方向において外側に開放され、底部を備えることを特徴とするドラムシリンダユニット。
【請求項１１】
前記貫通穴は少なくとも２つ設けられることを特徴とする請求項１０に記載のドラムシリンダユニット。
【請求項１２】
２つの前記貫通穴は、前記感光ドラムの軸線に対して対称な位置に配置されていることを特徴とする請求項１１に記載のドラムシリンダユニット。
【請求項１３】
前記筒部は、前記空洞部に向かって突出するオーバーハング部をさらに有することを特徴とする請求項１乃至１２のいずれか１項に記載のドラムシリンダユニット。
【請求項１４】
感光ドラムとフランジ部材を有するドラムシリンダユニットに、貫通穴部を有するカップリング部材を取り付けるカップリング部材の取り付け方法であって、
前記フランジ部材は、
前記感光ドラムの端部に固定された固定部と、
その内部に空洞部を形成する筒部と、
前記筒部の縁に設けられた溝部と、
を備え、
前記溝部は幅Ｚ２の狭窄部を備え、前記溝部および前記空洞部は、前記感光ドラムの軸方向において外側に開放されているものであって、
（１）前記カップリング部材の回転力を前記ドラムシリンダユニットに伝達する端部を備える幅Ｚ３（但しＺ３＞Ｚ２）のピンを、前記貫通穴部に挿入し、
（２）前記貫通穴部に挿入した前記ピンの端部を、前記フランジ部分を弾性変形させて前記ピンの端部を前記狭窄部を通過させることで、前記溝部に挿入し、かつ、前記カップリング部材を前記空洞部に挿入し、
（３）前記カップリング部材の傾斜角度が可変になるように前記カップリング部材を前記フランジ部材に結合することを特徴とするカップリング部材の取り付け方法。
【請求項１５】
感光ドラムとフランジ部材を有するドラムシリンダユニットに、貫通穴部を有するカップリング部材を取り付けるカップリング部材の取り付け方法であって、
前記フランジ部材は、
前記感光ドラムの端部に固定された固定部と、
その内部に空洞部を形成する筒部と、
前記筒部の縁に設けられた溝部と、
を備え、
前記溝部は幅Ｚ２の狭窄部を備え、前記溝部および前記空洞部は、前記感光ドラムの軸方向において外側に開放されているものであって、
（１）前記カップリング部材の回転力を前記ドラムシリンダユニットに伝達する端部を備えるピンを、前記貫通穴部に挿入し、
（２）前記貫通穴部に挿入した前記ピンの端部を前記溝部に挿入し、かつ、前記カップリング部材を前記空洞部に挿入し、
（３）前記ピンを溝部に挿入したあと、前記溝部の開口部の側に設けた熱変形部を熱変形させて前記ピンが前記溝部から取り外されるのを抑え、
（４）前記カップリング部材の傾斜角度が可変になるように前記カップリング部材を前記フランジ部材に結合することを特徴とするカップリング部材の取り付け方法。
【請求項１６】
感光ドラムとフランジ部材を有するドラムシリンダユニットに、貫通穴部を有するカップリング部材を取り付けるカップリング部材の取り付け方法であって、
前記フランジ部材は、
前記感光ドラムの端部に固定された固定部と、
その内部に空洞部を形成する筒部と、
前記筒部の縁に設けられた溝部と、
を備え、
前記溝部は幅Ｚ２の狭窄部を備え、前記溝部および前記空洞部は、前記感光ドラムの軸方向において外側に開放されているものであって、
（１）前記カップリング部材の回転力を前記ドラムシリンダユニットに伝達する端部を備えるピンを、前記貫通穴部に挿入し、
（２）前記貫通穴部に挿入した前記ピンの端部を前記溝部に挿入し、かつ、前記カップリング部材を前記空洞部に挿入し、
（３）前記ピンを前記溝部に挿入した後、前記溝部の開口部に、前記ピンが前記溝部から取り外されるのを抑える規制部材を挿入し、
（４）前記カップリング部材の傾斜角度が可変になるように前記カップリング部材を前記フランジ部材に結合することを特徴とするカップリング部材の取り付け方法。
【請求項１７】
感光ドラムとフランジ部材を有するドラムシリンダユニットに、貫通穴部を有するカップリング部材を取り付け、前記カップリング部材の傾斜角度が可変になるように前記カップリング部材を前記フランジ部材に結合するカップリング部材の取り付け方法において、
前記フランジ部材は、
前記感光ドラムの端部に固定された固定部と、
前記感光ドラムの軸方向における外側に面した底部と、
を備え、
（１）前記カップリング部材の回転力を前記ドラムシリンダユニットに伝達する端部を備えるピンを、前記貫通穴部に挿入し、
（２）溝部と抜け止め部を有する固定部材を前記感光ドラムの軸線方向で外側から前記フランジ部材に固定し、前記貫通穴部に挿入された前記ピンの端部を前記溝部の間で前記底部と前記抜け止め部との間に配置する
ことを特徴とするカップリング部材の取り付け方法。
【請求項１８】
感光ドラムとフランジ部材を有するドラムシリンダユニットに、第一貫通穴部を有するカップリング部材を取り付けるカップリング部材の取り付け方法において、
前記フランジ部材は、
前記感光ドラムの端部に固定された固定部と、
その内部に空洞部を備える筒部と、
前記筒部の縁を貫通して前記空洞部と連通する第二貫通穴部と、
を備え、
前記空洞部は前記感光ドラムの軸方向における外側に開放されたものであり、
（１）前記空洞部に前記カップリング部材を挿入し、
（２）前記カップリング部材の回転力を前記ドラムシリンダユニットに伝達するピンを、前記第一貫通穴と前記第二貫通穴に挿入し、
（３）前記カップリング部材の傾斜角度が可変になるように前記カップリング部材を前記フランジ部材に結合することを特徴とするカップリング部材の取り付け方法。
【請求項１９】
電子写真画像形成装置に用いられるドラムユニットにおいて、
感光ドラムと、
フランジ部材と、
貫通穴部を備えたカップリング部材と、
前記カップリング部材の回転力を前記フランジ部材に伝達するピンと、
を有し、
前記フランジ部材は、
前記感光ドラムの端部に固定された固定部と、
その内部に空洞部を形成する筒部と、
前記筒部の縁に設けられた溝部と、
を備え、
前記ピンは前記貫通穴部に挿入されており、
前記空洞部は前記感光ドラムの軸方向における外側に開放されて、前記カップリング部材が挿入されており、
前記溝部は前記軸方向における外側に開放されて、前記ピンの端部が挿入されており、前記カップリング部材は、前記フランジ部材に対して傾斜角度が可変になるように結合され、
前記溝部は、第１の部分と前記感光ドラムの軸線方向に関して前記第１の部分よりも外側に配置された第２の部分とを備え、前記第１の部分の幅が第１の幅Ｚ１、前記第２の部分の幅が第２の幅Ｚ２（但しＺ１＞Ｚ２）であり、前記ピンの幅は第３の幅Ｚ３（但しＺ３＞Ｚ２）であり、前記フランジ部材が弾性変形することにより、前記第２部分の幅を前記第３の幅Ｚ３へと拡張可能としていることを特徴とするドラムユニット。
【請求項２０】
前記溝部は、前記第２の部分を有する狭窄部を備え、前記ピンは前記狭窄部によって移動が抑えられることを特徴とする特徴とする請求項１９に記載のドラムユニット。
【請求項２１】
前記ドラムユニットは、
前記フランジ部材に前記軸方向における内側から取り付けられたフタ部材を有し、
前記フタ部材に設けられた突起部によって前記狭窄部が形成されることを特徴とする請求項２０に記載のドラムユニット。
【請求項２２】
前記溝部の開口部に挿入された規制部材を有し、
前記規制部材は前記ピンが溝部から取り外されるのを抑えることを特徴とする請求項１９乃至２１のいずれか１項に記載のドラムユニット。
【請求項２３】
電子写真画像形成装置に用いられるドラムユニットにおいて、
感光ドラムと、
フランジ部材と、
貫通穴部を備えたカップリング部材と、
前記カップリング部材の回転力を前記フランジ部材に伝達するピンと、
を有し、
前記フランジ部材は、
前記感光ドラムの端部に固定された固定部と、
その内部に空洞部を形成する筒部と、
前記筒部の縁に設けられた溝部と、
を備え、
前記空洞部は前記感光ドラムの軸方向における外側に開放されて、前記カップリング部材が挿入されており、
前記ピンは前記貫通穴部に挿入され、
前記ピンの端部は前記溝部に挿入されており、
前記溝部は、熱変形されて前記ピンが前記軸方向の外側に向けて移動するのを抑える熱変形部を備え、
前記カップリング部材は、前記フランジ部材に対して傾斜角度が可変になるように結合されていることを特徴とするドラムユニット。
【請求項２４】
前記溝部は、前記軸方向に沿って延びる第一部と、前記筒部の周方向に沿って延びる第二部とを備えることを特徴とする請求項２０乃至２３のいずれか１項に記載のドラムユニット。
【請求項２５】
前記フランジ部材は、前記感光ドラムの径方向において前記筒部の外側に設けられる第二筒部と、前記筒部と前記第二筒部との間に設けられる第二溝部と、をさらに備え、
前記筒部と前記第二筒部と前記第二溝部は前記感光ドラムの軸方向でオーバーラップすることを特徴とする請求項２０乃至２４のいずれか１項に記載のドラムユニット。
【請求項２６】
前記第二筒部は、歯車部を有することを特徴とする請求項２５に記載のドラムユニット。
【請求項２７】
前記溝部は少なくとも２つ設けられることを特徴とする請求項２０乃至２６のいずれか１項に記載のドラムユニット。
【請求項２８】
２つの前記溝部は、前記感光ドラムの軸線に対して対称な位置に配置される請求項２７に記載のドラムユニット。
【請求項２９】
電子写真画像形成装置に用いられるドラムユニットにおいて、
感光ドラムと、
フランジ部材と、
第一貫通穴部を備えたカップリング部材と、
前記カップリング部材の回転力を前記フランジ部材に伝達するピンと、
を有し、
前記フランジ部材は、
その内部に空洞部を備える筒部と、
前記筒部の縁を貫通して前記空洞部と連通する第二貫通穴部と、
を備え、
前記ピンは、前記第一貫通穴部および二貫通穴部に挿入され、
前記カップリング部材は、その傾斜角度が可変になるように前記フランジ部材に結合されていることを特徴とするドラムユニット。
【請求項３０】
前記第二貫通穴は少なくとも２つ設けられることを特徴とする請求項２９に記載のドラムユニット。
【請求項３１】
２つの前記第二貫通穴は、前記感光ドラムの軸線に対して対称な位置に配置されていることを特徴とする請求項３０に記載のドラムユニット。
【請求項３２】
前記筒部は、前記空洞部に向かって突出するオーバーハング部をさらに有することを特徴とする請求項２０乃至３１のいずれか１項に記載のドラムユニット。
【請求項３３】
電子写真画像形成装置に用いられるドラムユニットにおいて、
感光ドラムと、
フランジ部材と、
貫通穴部を備えたカップリング部材と、
前記カップリング部材の回転力を前記フランジ部材に伝達するピンと、
溝部を備え、感光ドラムの軸線方向で外側から前記フランジ部材に固定された固定部材と、
を有し、
前記フランジ部材は、
前記感光ドラムの端部に固定された固定部と、
前記感光ドラムの軸方向における外側に面した底部と、
を備え、
前記ピンは前記貫通穴部に挿入され、
前記ピンの端部は前記溝部と前記底部の間に配置されて、
前記カップリング部材はその傾斜角度が可変になるように前記フランジ部材に結合されていることを特徴とするドラムユニット。
【請求項３４】
前記溝部は少なくとも２つ設けられることを特徴とする請求項３３のいずれか１項に記載のドラムユニット。
【請求項３５】
２つの前記溝部は、前記感光ドラムの軸線に対して対称な位置に配置される請求項３４に記載のドラムユニット。
【手続補正２】
【補正対象書類名】明細書
【補正対象項目名】０００６
【補正方法】変更
【補正の内容】
【０００６】
上記目的を達成するため、本発明の代表的な構成は、
電子写真画像形成装置に用いられるドラムシリンダユニットにおいて、
感光ドラムと、
フランジ部材と、
を有し、
前記フランジ部材は、
前記感光ドラムの端部に固定された固定部と、
その内部に空洞部を形成する筒部と、
前記筒部の底を形成する底面と、
前記筒部の縁に設けられた溝部と、
ギア部と、
を備え、
前記溝部および前記空洞部の前記底面の反対側の部分は、前記感光ドラムの軸方向における外側に開放され、
前記溝部は、第１の部分と前記感光ドラムの軸線方向に関して前記第１の部分よりも外側に配置された第２の部分とを備え、前記第１の部分の幅が第１の幅Ｚ１、前記第２の部分の幅が第２の幅Ｚ２（但しＺ１＞Ｚ２）であり、前記フランジ部材が弾性変形することにより、前記第２部分の幅を第３の幅Ｚ３（但しＺ３＞Ｚ２）へと拡張可能であることを特徴とする。